【事件の表示】
　特許第２７６７０３７号「弾球遊技機」の特許に対する特許異議の申立てについて、次のとおり決定する。
【結論】
　訂正を認める。
　特許第２７６７０３７号の特許を維持する。
【理由】
Ｉ．手続の経緯
　本件特許第２７６７０３７号に係る発明は、昭和６１年７月１８日に特許出願された特願昭６１−１６９０９７号を、分割出願した特願平８−２１５５４７号を、平成９年３月３１日に分割して特願平９−８１２６３号としたものであって、平成１０年４月１０日に特許の設定登録がなされ、その後、アルゼ株式会社より特許異議申立がなされ、取消理由通知がなされ、その指定期間内である平成１１年８月２日に訂正請求がなされたものである。
ＩＩ．訂正の適否についての判断
１．訂正の要旨
訂正事項
▲１▼特許請求の範囲の記載である「遊技盤に形成された遊技領域における弾球遊技を行い得るように構成されて、遊技機内から発生する電気信号を受けて、該遊技機に設けられた複数の電気的作動装置を制御する制御手段を備えた弾球遊技機において、上記電気的作動装置は、裏機構盤に設けられた球排出装置と打球を弾発するための保持枠裏面側に設けられた打球発射装置と、上記遊技盤に設けられた電気的遊技装置とを少なくとも含み、上記制御手段は、一方を上記球排出装置を制御する枠側制御回路に構成すると共に、他方を上記電気的遊技装置等を制御する遊技盤側制御回路に分割して構成し、該枠側制御回路には上記打球発射装置を電気的に制御するための駆動制御部を一体的に含める構成として、上記枠側制御回路を、複数種類の遊技機で共通的に利用できるようにしたことを特徴とする弾球遊技機。」を、「遊技盤に形成された遊技領域における弾球遊技を行い得るように構成されて、遊技機内で発生する電気信号を受けて、該遊技機に設けられた複数の電気的作動装置を制御する制御手段を備えた弾球遊技機において、上記電気的作動装置は、裏機構盤に設けられた球排出装置と打球を弾発するための保持枠裏面側に設けられた打球発射装置と、上記遊技盤に設けられた電気的遊技装置とを少なくとも含み、上記制御手段は遊技機内に設けられると共に、一方を上記球排出装置を制御する枠側制御回路に構成すると共に、他方を上記電気的遊技装置等を制御する遊技盤側制御回路に分割して構成し、該枠側制御回路には上記打球発射装置を電気的に制御するためのオーバフロー検出器及び球不足検出器からの信号が入力される駆動制御部を一体的に含める構成として、上記枠側制御回路を、複数種類の遊技機で共通的に利用できるようにしたことを特徴とする弾球遊技機。」と訂正する。
▲２▼段落番号【００１０】を「【課題を解決するための手段】　上記課題を解決するために本発明は、遊技盤に形成された遊技領域における弾球遊技を行い得るように構成されて、遊技機内で発生する電気信号を受けて、該遊技機に設けられた複数の電気的作動装置（例えば、賞品球排出装置２０、可変表示装置１０４、変動入賞装置１０５、打球発射装置１０２等）を制御する制御手段（例えば制御装置２００、遊技内容制御装置２１０）を備えた弾球遊技機（パチンコ機）において、上記電気的作動装置は、裏機構盤（１）に設けられた球排出装置（例えば賞品球排出装置２０）と打球を弾発するための保持枠裏面側に設けられた打球発射装置（１０２）と、上記遊技盤１００）に設けられた電気的遊技装置（例えば可変表示装置１０４、変動入賞装置１０５等）とを少なくとも含み、上記制御手段は遊技機内に設けられると共に、一方を上記球排出装置を制御する枠側制御回路（例えば制御装置）に構成すると共に、他方を上記電気的遊技装置等を制御する遊技盤側制御回路（例えば遊技内容制御装置２１０）に分割して構成し、該枠側制御回路には上記打球発射装置を電気的に制御するためのオーバフロー検出器（９２）及び球不足検出器（９３）からの信号が入力される駆動制御部（例えば、ＣＰＵ２００’、ＲＡＭ２０２、ＲＯＭ２０１、ドライバ２２０等）を一体的に含める構成として、上記枠側制御回路を、複数種類の遊技機で共通的に利用できるようにしたことを特徴とする弾球遊技機。」と訂正する。
２．訂正の目的の適否、新規事項の有無及び拡張・変更の存否
訂正事項▲１▼について
　制御手段は図１および段落番号【００２３】において、制御手段を構成する２００と、遊技盤遊技内容制御回路２１０は共に遊技機内に設けられていることが記載され、段落番号【００５５】には、ＣＰＵ２００’はオーバーフロー検出器９２からの検出信号を検知して、オーバーフロー状態が解消されないときは打球発射装置を停止させると記載され、段落番号【００５６】には貯留タンク２が空になり、球不足検出器９３がオフされると、打球発射装置１０２を停止されると記載されている。
　したがって、上記訂正事項▲１▼による訂正は、願書に添付した明細書及び図面に記載された事項の範囲内のものであり、かつ、訂正前の特許請求の範囲を減縮することを目的とするものであって、新規事項の追加に該当せず、実質上特許請求の範囲を拡張または変更するものではない。
訂正事項▲２▼について
　上記訂正事項▲２▼による訂正は、訂正事項▲１▼による訂正後の特許請求の範囲の内容と、発明の詳細な説明の内容との整合を図ることを目的とするものである。
３．独立特許要件
▲１▼訂正後の発明の要旨は、訂正請求書に添付された訂正明細書及び図面の記載からみて、訂正後の特許請求の範囲に記載された次のとおりのものと認める。
「遊技盤に形成された遊技領域における弾球遊技を行い得るように構成されて、遊技機内で発生する電気信号を受けて、該遊技機に設けられた複数の電気的作動装置を制御する制御手段を備えた弾球遊技機において、上記電気的作動装置は、裏機構盤に設けられた球排出装置と打球を弾発するための保持枠裏面側に設けられた打球発射装置と、上記遊技盤に設けられた電気的遊技装置とを少なくとも含み、上記制御手段は遊技機内に設けられると共に、一方を上記球排出装置を制御する枠側制御回路に構成すると共に、他方を上記電気的遊技装置等を制御する遊技盤側制御回路に分割して構成し、該枠側制御回路には上記打球発射装置を電気的に制御するためのオーバフロー検出器及び球不足検出器からの信号が入力される駆動制御部を一体的に含める構成として、上記枠側制御回路を、複数種類の遊技機で共通的に利用できるようにしたことを特徴とする弾球遊技機。」（以下、「本件発明」という。）▲２▼引用刊行物
　当審が通知した取消理由において引用した各刊行物には、以下の事項が記載されているものと認める。
刊行物１：特開昭５９−２０９３７３号公報
　刊行物１には、「パチンコ機で発射した打球が賞態様を形成するとパチンコ機からの信号によって・・・パチンコ機の球供給装置に関するものである。」（公報第１頁左下欄末行〜同頁右下欄４行を参照。）が記載され、「球供給装置１は、第１図で示すように、パチンコ機２に隣接させて設置」（公報第１頁右下欄末行〜第２頁左上欄１行を参照。）が記載され、「特定入賞検出器４０は、第１導線４１を介して電気的制御装置１１に電気的に接続するので、特別入賞球を検出すると、・・・可変球排出装置７を作動して」（公報第３頁左上欄２行〜同欄７行を参照。）が記載され、「パチンコ機を入れ換えて賞球排出数を変える場合・・・第２導線４８のコネクタ４８′を差し換えたり、・・・容易に賞球数を変換することができる。」（公報第３頁左下欄１３行〜同欄１９行を参照。）が記載され、「貯留タンク５内の打球が少なくなると、導出樋６の上部に設けた球不足検出器４９がＯＮになり、球補給装置５０を作動させて補給樋５１から球を補給する。電気的制御装置１１は・・・打球発射装置３１の作動を停止して打止め状態にする。また遊技部３４に特別遊技装置５３を設け・・・特別遊技装置５３を電気的に制御する特別遊技制御装置５４と球供給装置１の電気的制御装置１１とを第３導線５５を介して電気的に接続し、特別遊技の賞態様に対応して可変球排出装置７が賞球を供給皿２７へ排出するようにしてもよい。」（公報第３頁左下欄２０行〜右下欄１８行を参照。）が記載され、「第７図は本発明の電気回路の一実施例を示すもので、各球供給装置にある電気的制御装置１１を・・・パチンコ機２を集中的に管理することができる。」（公報第４頁左上欄１０行〜同欄１４行を参照。）が記載されていることからみて、刊行物１に記載のある事項と、本件発明の構成とを照合対置すると、
　刊行物１には、本件発明の「遊技盤に形成された遊技領域における弾球遊技を行い得るように構成されて、遊技機内で発生する電気信号を受けて、該遊技機に設けられた複数の電気的作動装置を制御する制御手段を備えた弾球遊技機において、上記電気的作動装置は、球排出装置と打球を弾発するための保持枠裏面側に設けられた打球発射装置と、上記遊技盤に設けられた電気的遊技装置とを少なくとも含み、上記制御手段は、一方を上記球排出装置を制御する枠側制御回路に構成すると共に、他方を上記電気的遊技装置等を制御する遊技盤側制御回路に分割して構成し、該枠側制御回路には上記打球発射装置を電気的に制御するための球検出器からの信号が入力される駆動制御部を一体的に含める構成とし、上記枠側制御回路を、複数種類の遊技機で共通的に利用できるようにしたことを特徴とする弾球遊技機。」の構成が記載されているものと認める。
刊行物２：特開昭５３−５５２５０号公報
　刊行物２には、本件発明の「このような従来のパチンコ遊技装置によると、賞球排出機構が遊技盤の裏面に一体的に装着」（公報第１頁右下欄１７行〜同欄２０行を参照。）の構成が記載されていることからみて、
　刊行物２には、「賞品球排出装置を裏機構盤に設けた弾球遊技機。」の発明が記載されているものと認める。
刊行物３：特開昭６０−１９３４８４号公報
　刊行物３には、「制御装置５０で駆動信号を形成して、入賞球ごとに賞品球払出装置２０を動作させて所定数の賞品球の払出しを行うようになっている。・・・賞品球払出装置２０・・・遊技盤裏面の一側方に偏位して取り付ける。」（公報第３頁右上欄１０行〜同欄１５行を参照。）が記載されていることからみて、
　刊行物３には、本件発明の「賞品球排出装置を裏機構盤に設けた弾球遊技機。」の構成が記載されているものと認める。
▲３▼対比・判断
　本件発明と上記刊行物１乃至刊行物３に記載された発明とを対比すると、上記各刊行物には、本件発明の必須の構成要件である「遊技盤に形成された遊技領域における弾球遊技を行い得るように構成されて、遊技機内で発生する電気信号を受けて、該遊技機に設けられた複数の電気的作動装置を制御する制御手段を備えた弾球遊技機において、上記制御手段は遊技機内に設けられると共に、一方を上記球排出装置を制御する枠側制御回路に構成すると共に、他方を上記電気的遊技装置等を制御する遊技盤側制御回路に分割して構成し、該枠側制御回路には上記打球発射装置を電気的に制御するためのオーバフロー検出器からの信号が入力される駆動制御部を一体的に含める構成として、」（以下、「特定事項」という。）については記載もなく、また、上記特定事項を示唆する記載もなく、かつ、上記各刊行物に記載された発明を寄せ集めても、上記特定事項を想到できるものとは認められない。
　そして、本件発明は、上記特定事項を具備することにより、「遊技盤側制御回路と枠側制御回路に分割して構成される制御手段は遊技機内に設けられるので、遊技機製造工場にとっては、配線処理を含む組立作業が簡素化できると共に、部品管理の上からも簡素化できるという効果がある。また、遊技店での遊技盤の交換時の分離式遊技盤に対するコスト的な負担を軽減でき、遊技内容が異なった複数種類の遊技機であっても、枠側制御回路は互換性があるので、枠側制御回路の故障時における交換作業等が容易に且つ迅速に行えるという効果がある。」という明細書に記載されたとおりの格別な効果を奏するものである。
　よって、本件発明は、上記各刊行物に記載の発明に基づいて当業者が容易に発明をすることができたものではないものと認める。
　したがって、本件発明は特許出願の際独立して特許を受けることができるものと認める。
▲４▼むすび
　以上のとおりであるから、上記訂正は、特許法第１２０条の４第２項及び第３項で準用する同法第１２６条第２項乃至第４項の規定に適合すので、当該訂正を認める。
ＩＩＩ．特許異議申立てについての判断
　特許異議申立人は、甲第１号証乃至甲４号証を提出して、本件特許発明は、甲第１号証乃至甲４号証に記載された発明に基づいて、当業者が容易に発明をすることができたものであるから、特許法第２９条第２項の規定により特許を受けることができず、特許法第１１３条第２号の規定により取り消すべき旨主張している。
　しかるに、甲第１号証、甲第２号証および甲第３号証は、それぞれ、取消理由で引用した刊行物１、刊行物２および刊行物３と同一であることから、上記ＩＩ．３．▲３▼で示したのと同様の理由により、本件発明は、甲第１号証乃至甲第３号証に記載された発明に基づき当業者が容易に発明をすることができたものではない。
　さらに検討すると、異議申立人が主張するとおり、甲第４号証には、「枠側の制御部１７に打球発射モータ２８等を制御するための駆動制御部が一体的に含まれていること」（異議申立書第９頁１８行〜２０行を参照。）が記載されているが、甲第４号証には、本件発明の上記特定事項である「遊技盤に形成された遊技領域における弾球遊技を行い得るように構成されて、遊技機内で発生する電気信号を受けて、該遊技機に設けられた複数の電気的作動装置を制御する制御手段を備えた弾球遊技機において、上記制御手段は遊技機内に設けられると共に、一方を上記球排出装置を制御する枠側制御回路に構成すると共に、他方を上記電気的遊技装置等を制御する遊技盤側制御回路に分割して構成し、該枠側制御回路には上記打球発射装置を電気的に制御するためのオーバフロー検出器からの信号が入力される駆動制御部を一体的に含める構成」については記載もなく、また、上記特定事項を示唆する記載もない。
　そして、甲第１号証、甲第２号証、甲第３号証および甲第４号証に記載された事項を寄せ集めても、当業者は本件発明の構成を容易に想到できないものと認める。
　よって、本件発明は、甲第１号証乃至甲４号証に記載された発明に基づいて、当業者が容易に発明をすることができたものであるとはいえない。
　したがって、申立人の上記主張は採用できない。
ＩＶ．むすび
　以上のとおりであるから、特許異議申立の理由及び証拠によっては、本件発明の特許を取り消すことはできない。
　また、他に本件発明の特許を取り消すべき理由を発見しない。
　よって、結論のとおり決定する。
【異議決定日】
平成１１年８月３１日（１９９９．８．３１）
【訂正の要旨】
１．訂正の要旨
訂正事項
▲１▼特許請求の範囲の記載である「遊技盤に形成された遊技領域における弾球遊技を行い得るように構成されて、遊技機内から発生する電気信号を受けて、該遊技機に設けられた複数の電気的作動装置を制御する制御手段を備えた弾球遊技機において、上記電気的作動装置は、裏機構盤に設けられた球排出装置と打球を弾発するための保持枠裏面側に設けられた打球発射装置と、上記遊技盤に設けられた電気的遊技装置とを少なくとも含み、上記制御手段は、一方を上記球排出装置を制御する枠側制御回路に構成すると共に、他方を上記電気的遊技装置等を制御する遊技盤側制御回路に分割して構成し、該枠側制御回路には上記打球発射装置を電気的に制御するための駆動制御部を一体的に含める構成として、上記枠側制御回路を、複数種類の遊技機で共通的に利用できるようにしたことを特徴とする弾球遊技機。」を、「遊技盤に形成された遊技領域における弾球遊技を行い得るように構成されて、遊技機内で発生する電気信号を受けて、該遊技機に設けられた複数の電気的作動装置を制御する制御手段を備えた弾球遊技機において、上記電気的作動装置は、裏機構盤に設けられた球排出装置と打球を弾発するための保持枠裏面側に設けられた打球発射装置と、上記遊技盤に設けられた電気的遊技装置とを少なくとも含み、上記制御手段は遊技機内に設けられると共に、一方を上記球排出装置を制御する枠側制御回路に構成すると共に、他方を上記電気的遊技装置等を制御する遊技盤側制御回路に分割して構成し、該枠側制御回路には上記打球発射装置を電気的に制御するためのオーバフロー検出器及び球不足検出器からの信号が入力される駆動制御部を一体的に含める構成として、上記枠側制御回路を、複数種類の遊技機で共通的に利用できるようにしたことを特徴とする弾球遊技機。」と訂正する。
▲２▼段落番号【００１０】を「【課題を解決するための手段】　上記課題を解決するために本発明は、遊技盤に形成された遊技領域における弾球遊技を行い得るように構成されて、遊技機内で発生する電気信号を受けて、該遊技機に設けられた複数の電気的作動装置（例えば、賞品球排出装置２０、可変表示装置１０４、変動入賞装置１０５、打球発射装置１０２等）を制御する制御手段（例えば制御装置２００、遊技内容制御装置２１０）を備えた弾球遊技機（パチンコ機）において、上記電気的作動装置は、裏機構盤（１）に設けられた球排出装置（例えば賞品球排出装置２０）と打球を弾発するための保持枠裏面側に設けられた打球発射装置（１０２）と、上記遊技盤１００）に設けられた電気的遊技装置（例えば可変表示装置１０４、変動入賞装置１０５等）とを少なくとも含み、上記制御手段は遊技機内に設けられると共に、一方を上記球排出装置を制御する枠側制御回路（例えば制御装置）に構成すると共に、他方を上記電気的遊技装置等を制御する遊技盤側制御回路（例えば遊技内容制御装置２１０）に分割して構成し、該枠側制御回路には上記打球発射装置を電気的に制御するためのオーバフロー検出器（９２）及び球不足検出器（９３）からの信号が入力される駆動制御部（例えば、ＣＰＵ２００’、ＲＡＭ２０２、ＲＯＭ２０１、ドライバ２２０等）を一体的に含める構成として、上記枠側制御回路を、複数種類の遊技機で共通的に利用できるようにしたことを特徴とする弾球遊技機。」と訂正する。
（５４）【発明の名称】
弾球遊技機
（５７）【特許請求の範囲】
　【請求項１】
　遊技盤に形成された遊技領域における弾球遊技を行い得るように構成されて、遊技機内で発生する電気信号を受けて、該遊技機に設けられた複数の電気的作動装置を制御する制御手段を備えた弾球遊技機において、上記電気的作動装置は、裏機構盤に設けられた球排出装置と打球を弾発するための保持枠裏面側に設けられた打球発射装置と、上記遊技盤に設けられた電気的遊技装置とを少なくとも含み、上記制御手段
は遊技機内に設けられると共に
オーバーフロー検出器及び球不足検出器からの信号が入力される
【発明の詳細な説明】
　【０００１】
　【発明の属する技術分野】本発明は、パチンコ遊技機等の弾球遊技機に関わり、特に遊技機内から発生する電気信号を受けて、該遊技機に設けられた電気的作動装置を制御する制御手段を備えた弾球遊技機に関する。
　【０００２】
　【従来の技術】弾球遊技機として代表的なパチンコ遊技機は、遊技盤に形成された遊技領域に配設される入賞口や電動式役物の制御内容によって、例えば第１種パチンコ遊技機や第２種パチンコ遊技機及び第３種パチンコ遊技機等と法律上複数の種類に分類されている。
　【０００３】そして、近年のパチンコ遊技機は、遊技機製造業者によって次々に開発される遊技盤に設けられる入賞口や電動式役物が、電飾装置等を用いて大型化する傾向にあり、また、それらの入賞口等を制御回路によって多様に制御して遊技者の興趣を一段と高められるように構成されている。特に、遊技制御内容において特定態様（所謂大当たり）が発生すると、大型入賞装置が開成して短時間に多量の入賞球が発生し、大量の賞品球が遊技者に与えられる機種が多くの遊技者の支持を得る傾向にある。
　【０００４】また、パチンコ遊技機は遊技店の経済的な観点から、保持枠に装着される遊技盤を着脱分離できる構成にして、遊技店の新装開店時等には新規に購入した遊技盤だけを遊技店において交換できるようになっている。
　【０００５】
　【発明が解決しようとする課題】従来、パチンコ遊技機は、第１種パチンコ遊技機や第２種パチンコ遊技機及び第３種パチンコ遊技機等と複数種類に分類されてはいるものの、その遊技制御においてはどの機種においてもパチンコ遊技中に所謂大当たりが起生されると、短時間に多量の入賞球が発生可能な構成となっていることから、この入賞球に対する賞品球を遊技者側に迅速且つ正確に排出する必要があり、必然的に制御回路により電気的に制御される高性能の電動式賞品球排出装置の開発が要望されていた。また打球発射装置においては、制御回路を用いて電気的に制御される電動式のものが従来より開発されており、弾球遊技機に対して独立した個別の制御回路を備えていた。
　【０００６】そのため、電動式賞品球排出装置を電気的に制御する制御回路と打球発射装置の制御回路とを弾球遊技機裏側に設けると、遊技機製工場において配線処理も含む組立作業が複雑に成ると共に、部品点数が増えて部品管理の上からも種類が増えるという不都合があった。
　【０００７】そして、上記したように、パチンコ遊技機は第１種，第２種，第３種パチンコ遊技機等と複数種類に分類されていることから、電動式賞品球排出装置を搭載したパチンコ遊技機の遊技制御と賞品球排出制御や打球発射装置に関する制御とを１つの制御回路で構成した場合には、各遊技機の機種毎にこの制御回路を用意しなければならず、且つ遊技店の新装開店時には入れ替える分離式の遊技盤とこの制御回路とを一緒に廃棄しなければならず、遊技店にとってはコスト的負担となって全くの不経済である。
　【０００８】さらに、パチンコ遊技機の遊技制御と賞品球排出制御や打球発射装置に関する制御とを１つの制御回路で構成した場合には、その制御回路自体が大型化してしまい、パチンコ遊技機裏側における取付位置等が制約されてしまうという不都合もある。
　【０００９】本発明は上記問題点に鑑み提案されたもので、パチンコ遊技機が複数種類に分類されて、パチンコ遊技中に所謂大当たりが起生されると、短時間に多量の入賞球が発生可能な構成となってきたことに対応して、この入賞球に対する賞品球を遊技者側に迅速且つ正確に排出し得る制御回路によって電気的に制御する電動式賞品球排出装置を搭載することにより問題点の解決を図ると共に、電動式賞品球排出装置の制御回路に打球発射装置に関する駆動制御部を含め、複数種類のパチンコ遊技機で共通的に利用できる共通部品として構成することにより、遊技機製造工場における組立の簡素化及び部品管理の簡素化ができ、また部品コストの低減を図ることができると共に、遊技店における新装開店時の分離式遊技盤に対するコスト的な負担を軽減することが可能な弾球遊技機を提供することを目的とする。
　【００１０】
　【課題を解決するための手段】上記課題を解決するために本発明は、遊技盤に形成された遊技領域における弾球遊技を行い得るように構成されて、遊技機内
で
は遊技機内に設けられると共に
オーバーフロー検出器（９２）及び球不足検出器（９３）からの信号が入力される
　【００１１】上記のように構成された手段によれば、弾球遊技機に設けられる電気的作動装置としての裏機構盤に設けた球排出装置と、打球を弾発するために保持枠に設けた打球発射装置、及び遊技盤に設けた電気的遊技装置とを制御する制御手段を、該球排出装置を制御する枠側制御回路と電気的遊技装置等を制御する遊技盤側制御回路とに分割して構成する。また、該枠側制御回路には打球発射装置を電気的に制御するための駆動制御部を一体的に含めて構成する。その結果、球排出装置及び打球発射装置を制御可能な該枠側制御回路を複数種類の遊技機で共通的に使用できる。また、枠側制御回路と遊技盤側制御回路とに分割して個別に構成することで、各制御回路自体を比較的小型化することができ、遊技機裏側におけるこの制御回路の取付け場所の自由度を高めることができる。
　【００１２】
　【発明の実施の形態】以下に本発明の一実施例を図面を参照して説明する。図２は、本発明が適用される弾球遊技機としてのパチンコ遊技機の前面の構成例を示すもので、遊技盤１００の前面には、下部の操作ダイヤル１０１により駆動される打球発射装置１０２によって弾発された打球を遊技盤１００の上方部まで案内するガイドレール１０３が配設され、遊技盤１００の前面のガイドレール１０３とガラス板とによって囲まれた空間に遊技領域が構成されている。そして、この遊技領域の中央には、電気的遊技装置としての可変表示装置１０４が、またその下方には通常は遊技領域の一部を成しているが、可変表示装置１０４における特定態様（所謂大当り）の発生により入賞領域に変換する電気的遊技装置としての変動入賞装置１０５が設けられている。
　【００１３】上記可変表示装置１０４の両側方には、それぞれ第１の特定入賞口１０７が、また、上記可変表示装置１０４と変動入賞装置１０５との間には第２の特定入賞口１０８が設けてある。このうち第１の特定入賞口１０７は、本実施例では、遊技盤１００を貫通する凹部を有するいわゆる飛込み型入賞装置からなり、その凹部をもって第１の特定入賞口１０７としている。この貫通凹部の開口すなわち遊技盤面と同一面に存する第１の特定入賞口１０７は、前面から見て、球の直径の約２倍程度の径を有する半円筒状をなすように形成されており、その底部の奥には入賞球の導出穴（図示せず）が設けてある。第２の特定入賞口１０８は遊技領域内に上向きに開口した入賞チャッカーと呼ばれる入賞具からなる。
　【００１４】可変表示装置１０４の上方には、いわゆる“天”，“天の左”，“天の右”の３つの入賞口を有する入賞具１０６が設けられている。また、第１の特定入賞口１０７の斜め下方外側には、それぞれチューリップ式打球入賞装置１０９が配置されている。また、遊技盤１００の下部には、上方から落下してくる途中で上記各入賞領域１０６，１０７，１０８，１０９等に入賞できなかった打球を遊技盤１００の後方へ回収するアウト穴１１０が設けられている。さらに、遊技盤１００の表面の適宜位置には、上方より落下してくる打球の方向を無作為に変更させる多数の障害釘１１１や打球の流下速度および方向を制御する転動誘導部材１１２が遊技領域の縦中心線に対してほぼ対称的に設けられている。
　【００１５】遊技盤１００の中心両側部には、可変表示装置１０４の可変表示動作停止により特定態様が発生したときなどに点滅あるいは点灯される表示装置１２１が設けられている。また、遊技盤１００の上部には、天の入賞口１０６やチューリップ式打球入賞装置１０９等の入賞口へ打球が入賞したときに一時的に点灯される賞球ランプ１２２や所定数の入賞球がすべて払い出されたとき遊技の終了を報知する完了ランプ１２３および球排出装置としての賞品球排出装置２０により一回に排出されるべき賞品球数を表示する賞球数表示器１２４が配設されている。この賞球数表示器１２４は、一対のセグメント型表示器からなり、一方は例えば「１３」のような通常排出時の２ケタの賞品球数（１１〜１５個）の表示を行なえ、他方は例えば「５」のような特定入賞球に対し排出される少ない個数の賞品球数の表示を行なえるようにしてある。
　【００１６】さらに、上記構成の遊技盤１００を保持するパチンコ遊技機の保持枠１１３の上部には、打球発射装置１０２の操作ダイヤル１０１を操作したときに点灯されるパイロットランプ１２５および遊技客による不正がなされたり、賞品球排出装置２０における不良動作時に点灯される不良警告表示器１２６が設けられている。また、保持枠１１３の下部に取り付けられた開閉パネル１１４には、打球発射装置１０２に供給される打球を保留する供給皿１１５が取り付けられ、その下方には供給皿１１５から溢れた賞品球を貯留するための受皿１１６が設けられている。上記保持枠１１３の側部（図では左側）には、第１，第２特定入賞口１０７，１０８への入賞によって駆動された可変表示装置１０４を停止させるための可変表示停止手段１１７が設けられている。
　【００１７】上記のごとく構成されたパチンコ遊技機は、打球発射装置１０２によって遊技領域内に打ち込まれた打球が特定入賞口１０７または１０８に入賞すると、可変表示装置１０４の表示手段が駆動され、４つの表示窓に各々表示されている数字がそれぞれ変化される。そして、遊技者が保持枠１１３に設けられている可変表示停止手段１１７を押すか、タイマによって設定された時間が経過することによって可変表示が停止され、そのとき表示されている数字が所定の組合せに一致することによって特定態様が発生される。特定態様が発生すると、変動入賞装置１０５が開状態に変換されてそこへの入賞確率がゼロから非常に高い状態（特別遊技状態）に移行される。その結果、比較的短い時間内に多数の入賞球が発生し、多くの賞品球が遊技者に与えられるようになる。
　【００１８】変動入賞装置１０５は、両側部にそれぞれ一般入賞口１０５ａを有しているとともに、特定態様発生時に開成される受口内には一般入賞領域と特別条件構成領域とを有する。そして、変動入賞装置１０５の背部には、受口に入賞した打球を検出する入賞検出器９５とともに、上記特別条件構成領域に入賞した打球を検出する特別条件検出器９６が設けられており、受口が開いている間に、特別条件構成領域に打球が入賞すると再び受口が開成され、これを最高１０回繰り返すことにより、大当りと呼ばれる特別遊技状態が終了するようになっている。受口は一度開成されると、一定時間（例えば３０秒）または所定入賞球数（１０個）に達するまで連続して開かれるようにされている。
　【００１９】図１は、図２に示すような構成のパチンコ遊技機に本発明を適用した場合の裏機構の構成の一実施例を示す。裏機構盤１の上部には予備球の貯留タンク２が配設され、この貯留タンク２の一端には内部の予備球を自作用的に整列させて誘導する案内樋１１が接続されている。案内樋１１は２条の通路を有してゆるやかに傾斜され、かつ途中に振り子式の球ナラシ３と押圧式の球ナラシ４とが設けられており、これによって、予備球は案内樋１１を流下する間に２列に整列される。
　【００２０】そして、上記案内樋１１の流下端部に、ストッパ式の賞品球排出装置２０が、配設してある。本実施例においては、パチンコ遊技機の前面の遊技盤１００内に設けられた入賞口へ入賞した打球が、裏面に回収されて集合樋１０によって一箇所に集められ、入賞球処理装置４０によって一個ずつ分離されて入賞球検出器９１によって検出され、その結果排出指令信号が形成される。すると、賞品球排出装置２０が一回だけ作動されて所定数（例えば１３個）の賞品球が排出される。入賞球処理装置４０によって分離、検出された入賞球は入賞球導出樋１２を通って遊技機後方の回収樋（図示省略）に排出される。本実施例においては、賞品球排出装置２０による賞品球排出が終了すると、その排出終了信号を受けて入賞球処理装置４０が次の入賞球の分離、検出を行なう。
　【００２１】一方、賞品球排出装置２０によって排出された賞品球は、賞品球導出樋１３を通って供給口１１８より遊技機前面の供給皿１１５（図２参照）に流出される。供給皿１１５が一杯になると、賞品球は分流樋１５を通って遊技機前面下方の受け皿１１６に排出される。受け皿１１６が一杯になると、分流樋１５の途中に設けられたオーバーフロー検出器９２によって検出され、例えば打球発射装置１０２の駆動を停止させるようになっているとともに、オーバーフロー検出器９２によって受け皿のオーバーフロー状態が検出されたときこれを遊技者に報知するため、オーバーフロー表示器１２７が遊技機の前面に設けられている。９３は貯留タンク２内に予備球がなくなったとき、これを検出するための球不足検出器である。
　【００２２】また、上記賞品球排出装置２０の下方には、賞品球導出樋１３と並行して球抜き樋１６が設けられ、球抜き樋１６の入口すなわち賞品球導出樋１３との分岐点には、切替えゲートを有する球抜き装置６０が配設されている。この球抜き装置６０は、遊技機の保持枠１１３の前面に形成された操作穴１１９より、ピンもしくはワイヤのような工具を挿入することによってゲートを作動させることができるようになっている。そして切替えゲートが球抜き樋１６側に切り換えられると、球抜きスイッチ８４がオンされるようになっている。従来の球鞘ケースを用いたパチンコ遊技機では、球抜き用のゲートが賞品球排出装置２０の上流側に配設されていたので、球抜きを行なっても途中に球が残ってしまったが、この実施例では球抜き装置６０が賞品球排出装置２０の下流側にあるので、すべての球を抜くことができ、遊技店のデータの集計が正確に行なえる。なお、本出願人が特願昭６０−２８７２１５号（特開昭６２−１４４６８０号）で開示しているように、流路切換手段としての球抜き装置６０に電気的駆動源を用いて切替えゲートを作動させるようにしてもよいことはもちろんである。
　【００２３】球抜き樋１６の下端は、アウト穴１１０より回収されたアウト球を誘導するアウト球導出樋１７と合流され、遊技店の島設備下方に配設された回収樋（図示省略）に向かって回収球を流出するようになっている。さらに、裏機構盤１には、球排出装置としての上記賞品球排出装置２０を電気的に制御したり、或はオーバーフロー検出器９２からの検出信号による打球発射装置１０２の打球発射停止、各種表示装置の駆動などパチンコ遊技機全体の電気的な制御を行なうための枠側制御回路としての制御装置２００及び遊技盤前面の電気的遊技装置としての各種変動入賞装置や可変表示型補助遊技装置等の遊技動作を制御する遊技盤側制御回路としての遊技内容制御装置２１０が設けられている。これらの制御装置２００と遊技内容制御装置２１０は、夫々個別に分離されて構成され、枠側制御回路としての制御装置２００は裏機構盤１側に装着されているので、遊技盤１００を交換する際に遊技盤側制御回路としての遊技内容制御装置２１０のみを交換すれば良く、裏機構盤１側の制御装置２００は継続使用することができ、遊技盤交換に伴うコストを低減することができる。また、制御装置２００或は遊技内容制御装置２１０の何れか一方に故障を生じた場合にも故障した側の制御装置（回路）のみを交換すれば足りるためメンテナンス費用も低減することができる。なお、本実施例においては、上記した球排出装置と電気的遊技装置とが電気的作動装置として含まれる。
　【００２４】本実施例における制御装置２００の外面には、賞品球排出装置２０における一回の排出動作に伴う排出球数を設定するため、ディップスイッチ等からなる賞球数設定器８０，８１，８２が取り付けられている。この賞球数設定器８０〜８２により、遊技盤１００の種類に応じて賞品球数の設定を行なえるとともに、特定入賞球に対する賞品球数の設定をも行なえるようになっている。なお、制御装置２００に賞球数設定器８０〜８２を設けることなく、例えば遊技内容制御装置２１０などから賞球数信号を入賞打球が発生する毎に当該制御装置２００に供給するように構成すると、上記した設定作業が省略できることになる。また、裏機構盤１の上部には、打止め時や故障時に、賞品球排出装置２０を作動させることなく集合樋１０上の入賞球を排出させるためのマニュアルスイッチ（以下記憶排出スイッチと称する）８３が設けられている。この記憶排出スイッチ８３は、後述の賞品球排出装置２０内の排出センサ２５に代わって、擬似排出終了信号を与えるものである。
　【００２５】さらに、この実施例では、特定入賞口１０７および１０８に入賞した打球を、他の一般入賞口１０６や１０９などに入賞した打球と区別して検出できるようにするため、特定入賞球集合樋１８が設けられており、左右の第１の特定入賞口１０７に入賞した打球はそれぞれ誘導樋１９ａ，１９ｂによって特定入賞球集合樋１８上に流下される。また、第２の特定入賞口１０８へ入賞した打球は直接上記特定入賞球集合樋１８上に流出されるようになっている。そして、この特定入賞球集合樋１８の流出部１８ａには第１の入賞球検出手段としての特定入賞検出器９４が配設され、流出部１８ａの下端は、前記集合樋１０の上方に開口されている。つまり、特定入賞球集合樋１８によって集合され、特定入賞検出器９４により検出された入賞球は集合樋１０上に流下して、他の一般入賞口へ入賞した打球と共に入賞球処理装置４０へ誘導されて一個ずつ分離され、内部に設けられた第２の入賞球検出手段としての入賞球検出器９１によって検出されるようになっている。なお、本実施例においては、第１の入賞球検出手段としての特定入賞検出器９４を特定入賞球集合樋１８の流出部１８ａに配設したが、これに限定されるものではなく、特定入賞口ごとに第１の入賞球検出手段としての特定入賞検出器９４を配設するようにしても良い。また、後述するように第１の入賞球検出手段としては、特定入賞検出器９４のみに限定されるものではなく、入賞検出器９５を利用することもできる。
　【００２６】図３には、裏機構盤１における上記特定入賞球集合樋１８と集合樋１０との関係を示す詳細図が示されている。集合樋１０は、少なくとも玉一個分の間隔を有して、遊技盤１００の裏面を覆うように取り付けられており、左右両端には側壁が、また下部には中央に向かってゆるやかに下り傾斜した案内棚１０Ａが形成されている。案内棚１０Ａの終端に入賞球処理装置４０（図１参照）が揺動可能に配設され、案内棚１０Ａによって誘導されて来た入賞球を一個ずつ分離する。図中、斜線（ハッチング）で示されている部分１Ａ〜１Ｍは、遊技盤１００を貫通するように形成された貫通孔である。このうち貫通孔１Ａ〜１Ｃは、遊技盤１００の前面に設けられた天の入賞具１０６内の３つの入賞口に対応して設けられた入賞球の玉出口であり、貫通孔１Ｄ，１Ｅは第１の特定入賞口１０７に、また貫通孔１Ｆは第２の特定入賞口１０８に、さらに、貫通孔１Ｇ，１Ｈはチューリップ式入賞装置１０９に各々対応して設けられた玉出口である。
　【００２７】貫通孔１１は、アウト穴１１０を構成する玉出口であり、また貫通孔１Ｊと１Ｋは、賞球ランプ１２２と完了ランプ１２３を取り付けるために設けられた取付孔である。比較的面積の大きな貫通孔１Ｌと１Ｍは、それぞれ可変表示装置１０４および変動入賞装置１０５を取り付けるために設けられた取付孔である。そして、遊技盤１００の裏面には玉出口１Ａ〜１Ｃにより流出した入賞球を集合樋１０の側方へ誘導する一対の入賞球導出樋１９ｃ，１９ｄが配設されている。入賞球導出樋１９ｃ，１９ｂによって誘導された入賞球は、チューリップ式入賞装置１０９へ入賞し貫通孔１Ｇ，１Ｈより流出した入賞球および変動入賞装置１０５へ入賞した入賞球とともに、上記案内棚１０Ａ上へ流下され、入賞球処理装置４０まで誘導される。
　【００２８】また、一対の第１特定入賞口１０７に対応してそれぞれ遊技盤１００の裏面には、入賞球導出樋１９ａと１９ｂが配設されている。入賞球導出樋１９ａと１９ｂにより誘導された入賞球は、第２特定入賞口１０８の玉出口１Ｆに対応してそこから流出する入賞球を一側方へ誘導すべく設けられた特定入賞球集合樋１８上に流下されるようになっている。この特定入賞球集合樋１８の一側に垂直に設けられた流出部１８ａの途中には、特定入賞検出器９４が取り付けられ、玉出口１Ｄ，１Ｅおよび１Ｆから流出した特定入賞球を検出するようになっている。なお、９５で示されているのが前述した変動入賞装置１０５の受口に入賞したすべての遊技球を検出する第１の入賞球検出手段としての入賞検出器で、９６で示されているのが、受口内の特別条件構成領域に入賞した球を検出する特別条件検出器である。上記特定入賞球集合樋１８は、変動入賞装置１０５の背部に取り付けられるとともに、この特定入賞球集合樋１８の上記流出部１８ａと反対側の一側に変動入賞装置１０５の駆動源（ソレノイド）１０５ｂが固定されている。
　【００２９】図４に、予備球の貯留タンク２と案内樋１１および賞品球排出装置２０の構造とその接続状態を示す。貯留タンク２は、裏機構盤１の上部に形成された収納凹部に載置されるようにして取付けられる。図示しないが貯留タンク２の底壁の一端（図では左端）には開口部が形成され、この開口部に臨むように案内樋１１が取り付けられる。案内樋１１の底壁には踏板が回動可能に配設され、貯留タンク２内に予備球がなくなると踏板が上昇する。これを球不足検出器９３が検出して球補給要求信号を形成する。
　【００３０】案内樋１１の途中には分流壁１１ａが設けられ、流下する球を２条に分離、整列させる。球ナラシ３は案内樋１１の上部に形成された支持部１１ｂに、ピン３ａにて垂下され、案内樋１１上を上下に重なり合って流下して来る球をくずして整列させる。球ナラシ４は、案内樋１１の両側に固定された支持片４ａに、ピン４ｂにて回動可能に支承され、案内樋１１上を流下する球の重なりを防止する。さらに、上記案内樋１１の途中、望ましくは賞品球排出装置２０の直前には、ピン４ｂを支点として回動可能な流下制御部材７が設けてある。この流下制御部材７の先端折曲片は２つに分割され、図中破線イのように回動されたとき各折曲片７ｃ，７ｄが、２条の誘導経路に対応して案内樋１１の上壁に形成された長孔１１ｃ，１１ｄ内に進入することにより、案内樋１１内の球の流下を阻止し、賞品球排出装置２０への供給を手動により中断できるようになっている。
　【００３１】これによって、賞品球排出装置２０の保守点検や故障した場合の交換作業を容易に行うことができるようになる。また、上記流下制御部材７の一側には側方へ向かって操作片７ｂを突設し、手動による流下制御部材７の回動を容易に行えるようにしてある。さらに、この操作片７ｂと案内樋１１の側壁に設けたピン８との間にはスプリング９が張架され、このスプリング９によって流下制御部材７の状態を安定に保持できるようになっている。そして、上記案内樋１１の流下端部に、流下経路３０を一体的に有する賞品球排出装置２０が配設される。この場合、案内樋１１の流下端部の樋側面に係止片１１ｅを設け、また賞品球排出装置２０側の流下経路３０の始端上部及び下部に前方へ突出するガイド片３０ａを設け、このガイド片３０ａと係止片１１ｅとによって、案内樋１１と流下経路３０とを接続できるようにしてある。
　【００３２】図５〜図７に、賞品球排出装置２０の詳細を示す。賞品球排出装置２０は、流下経路３０とこの流下経路３０内に進入して球の流下を制御する流下阻止部材２２およびその駆動手段たるソレノイド２１が一体的に結合されてなる。上記流下経路３０は、ゆるやかに傾斜した整列樋３１と、この整列樋３１の流下端部から略垂直下方に延設された調流樋３３と、整列樋３１と調流樋３３との接続部にあって流下する球を約９０度方向転換せしめる調整部３２と、上記調流樋３３の下端から約４５度斜め下方に向かって延設された誘導樋３４と、この誘導樋３４の終端から略垂直下方に延設された排出樋３５とにより構成されている。誘導樋３４と排出樋３５の境界部近傍には、流下経路３０の外側壁から一対の支持片３６が突出され、この支持片３６間には、支軸２４が横架されている。
　【００３３】また、流下経路３０は案内樋１１に対応して２条形成されており、２条の流下経路３０に対応して、一対の扇状の流下阻止部材２２が上記支軸２４を中心として回転自在に装着されている。流下阻止部材２２に対応してソレノイド２１も一対設けられている。そして、この流下阻止部材２２の先端部が、上記流下経路３０の内壁部に設けられたスリットより進入し、上記誘導樋３４内に突出されている。上記流下阻止部材２２の先端後部は、リンク部材２３を介して上記ソレノイド２１のプランジャ２１ａの先端部に連結されており、プランジャ２１ａの伸縮に伴なって流下阻止部材２２が支軸２４の回りに往復回動され、先端部が誘導樋３４内に進入したり、後退したりするようになっている。これによって、球の流下を許容したり阻止したりして、所定数の排出を行なう。
　【００３４】また、誘導樋３４の側壁は外部に膨出されて、収納部３７が形成され、この収納部３７には透過型光センサからなる排出球検出器２５が挿入されている。なお、上記ソレノイド２１の上方には、上記ソレノイド２１や排出球検出器２５から引き出されたリード線を一箇所に集中させ、かつ上記制御装置２００と接続するための配線を前方から一括して接続できるようにするためのコネクタ２６が配設されている。そして、上記流下経路３０の下端に、賞品球導出樋１３の始端に形成された係合部１３ａが係合されて接続が行なわれる。
　【００３５】さらに、流下経路３０の入口部の整列樋３１の底面には、図６に示すごとく、金属板のような導電性シート３８が貼付され、この導電性シート３８の一端はフレーム等に接地されている。これによって、流下球に帯電されていた静電気を逃して、排出球検出器２５の静電破壊を防止することができる。すなわち、検出器としてマイクロスイッチのような機械式のものを使用する方法も考えられるが、マイクロスイッチは復帰動作が遅いため連続して球が流下してくるとオン状態になりっぱなしになるおそれがあると共に、チャタリングを起こし易い。また、長期間の使用により接点不良も生じやすい。そのため、マイクロスイッチは賞品球排出装置のように連続した球の検出を行なう検出器としては適していない。
　【００３６】そこで、上記実施例では、排出球検出器２５として光センサを使用している。しかしながら、光センサはＩＣで形成されているため静電気に弱く、しかも排出球は案内樋１１内を流下してくる間に、樋との摩擦で静電気を帯び、この静電気によってセンサが破損され易くなるという不都合がある。その不都合を、上記実施例は整列樋３１の底面に貼付した導電性シート３８で放電して回避するものである。また、導電性シート３８の材料を選択することにより球と樋との摩擦力を減らして、球の流れを円滑にさせることもできる。
　【００３７】さらに、上記賞品球排出装置２０の流下経路を構成する整列樋３１の上壁及び調流樋３３の外壁には、図４に示すようにそれぞれスリット３１ａ及び３３ａを設けてある。これによって、流下経路に異物等が侵入して賞品球排出装置２０内で球詰まりを起こしたり、円滑な流下が阻害されたような場合に、このスリット３１ａまたは３３ａよりピンなどの工具を挿入して異物を除去することができる等、メインテナンスが容易となる。上記スリット３１ａ及び３３ａには、スリットと略同じ大きさの段部３９ａを有する蓋部材３９を係合させて、ビス等に固定して閉塞するようにしてある。
　【００３８】次に上記のごとく構成された流下経路３０と賞品球排出装置２０の作用を図７を用いて詳細に説明する。上記賞品球排出装置２０は、流下阻止部材２２が図７に実線で示すごとく誘導樋３４内に進入している状態では、流下経路３０内に整列されたパチンコ球Ｂは、最先端の球Ｂ１が流下阻止部材２２の外周面に接触することで停止されている。このとき、誘導樋３４内に２個の球Ｂ１，Ｂ２が、また、調流樋３３内に３個の球Ｂ３，Ｂ４，Ｂ５が収納されるように、誘導樋３４と調流樋３３の寸法が各々決定されている。しかも、調流樋３３内の最上方の球Ｂ５は、整列樋３１内の球Ｂ６，Ｂ７・・・に押されて、テーパ状の調整部３２に当接されるようになっている。調整部３２に向かって押圧されることにより球Ｂ５は調整部３２から反発力を受けて、その反発力は球Ｂ５およびその下方の球Ｂ４，Ｂ３・・・に伝わり、それらを下方へ押し下げるように作用する。その結果、流下阻止部材２２が図７に破線Ｃで示すごとく誘導樋３４内から後退されたとき、調整部３２からの反発力および球の自重によって、調流樋３３および誘導樋３４内の球Ｂ１〜Ｂ５は速やかに流下し始めるようになる。
　【００３９】球Ｂ１〜Ｂ５が流下すると整列樋３１内の球Ｂ６，Ｂ７・・・がこれに続いて流下を開始する。そして、整列樋３１の出口で先ず調整部３２に衝突して流下速度を減じられ、かつ流下方向が水平方向から垂直方向へ略９０°変換され、調流部３３に入る。そこでは自重による加速が行なわれるため、調整部３３で減速される後続の球との間に球間隔が確保されるようになる。そのため、例えば球Ｂ７を検出した時点でソレノイド２１を消磁したとき、流下阻止部材２２の動作に遅れがあっても球Ｂ７が通過する前に、流下を阻止してやることができるようになる。このように球間隔を大きくすることにより、流下阻止部材２２の制御が容易となる。ただし、Ｂ７を検出してソレノイド２１をオフしたときに排出される賞品球は６個である。
　【００４０】さらに、上記流下経路３０は、流下阻止部材２２によって球の流下が阻止されている状態で調流樋３３の最上方に位置する球Ｂ５の中心Ｏ５が、整列樋３１内に整列している球Ｂ６，Ｂ７・・・の中心Ｏ６，Ｏ７・・・を結ぶ中心線の延長線より下方に位置されるように、誘導樋３４および調流樋３３の寸法が決定されている。そのため、待機中の球Ｂ６，Ｂ７・・・からＢ５へ伝わる圧力は球Ｂ５を押し下げるような分力を生じる。これによって、流下阻止部材２２が後退したときに、調流樋３３最上方の球Ｂ５が後続の球Ｂ６と調流樋３３の外側壁３３ａとの間にはさまれて球Ｂ１〜Ｂ４の流下に追従して流下しようとするのを妨げられることがない。
　【００４１】誘導樋３４の途中に設けられている排出球検出器２５は、その検出光軸Ｆが樋内を流下する球の中心から少し外れた位置に来るように配設されている。検出光軸Ｆが球の中心を通るように位置決めされていると複数個の球が連続して流下して来た場合、検出信号のパルス間隔が狭くなって正確な計数が行えなくなるおそれがある。しかるにこの実施例では、上記のごとく、検出光軸Ｆを球の中心からずらしたことにより、正確な計数が可能となる。また、扇形をなす流下阻止部材２２の回転面が流下する球の中心の流下軌跡と一致するように流下阻止部材２２が取付けられ、誘導樋３４の上方から下方に向かって樋内に進入するように移動されて、流下する球を停止させるようになっている。そのため、流下する球が停止するとき流下阻止部材２２に働く衝撃力を、流下阻止部材２２の回転範囲を制限するストッパ部（例えば流下阻止部材２２が進入する誘導樋３４のスリット端部）で受け止めることができるので、容易に停止時に働く衝撃に耐える強度を持たせることができる。
　【００４２】しかも、最下端の球Ｂ１は扇形の流下阻止部材２２の外周面に接触して停止されるため、最下端の球Ｂ１が流下阻止部材２２の外周面と誘導樋３４の壁面との間に食い込むような形で停止されても、流下阻止部材２２が後退される時にはその外周面で球Ｂ１を回転させるようにしながら離れていく。そのため、比較的小さな力で流下阻止部材２２を後退させることができ、流下阻止部材２２と誘導樋３４の壁面との間に球が挟まれて動かなくなるようなことがなくなる。さらに、流下阻止部材２２の回転中心と誘導樋３４内の最下端の球Ｂ１の中心Ｏ１とを結ぶ線が水平になるように配設されている。そのため、流下阻止部材２２の端部が球Ｂ１の外周からはずれると直ぐに球Ｂ１が流下可能になり、流下阻止部材２２の回転に伴って球Ｂ１が少しずり下がってから阻止力が外され、流下を開始するようなことがない。
　【００４３】また、上記実施例において、調流樋３３と誘導樋３４とのなす角度αは０〜９０゜の範囲にあればよいが、４５゜前後に設定してやると、調流樋３３内で加速された流下球のスピードを大きく減速させることがなく、しかも停止時に流下阻止部材２２にかかる負荷を軽減させることができる。さらに、上記実施例では、流下阻止部材２２によって球の流下が阻止されている状態で、流下阻止部材２２と誘導樋３４内の最下端の球Ｂ１との接触点から球の直径分だけ離された点を通る鉛直線Ｇと排出樋３５の壁面３５ａとの距離ｄが球の半径ｒよりも小さく、かつｒ−ｒｃｏｓαよりも大きくなる（ｒ−ｒｃｏｓα＜ｄ＜ｒ）ように誘導樋３４の終端３４ａの位置が決定されている。これによって、流下阻止部材２２が誘導樋３４内に進入して球の流下を阻止する際に、最後に排出される球が流下阻止部材２２の端面２２ａで後押しされるようにして排出されたとき、誘導樋３４の終端３４ａまで来ると排出樋３５内に流下して流下阻止部材２２から逃げることができる。そのため、最終排出球がいつまでも誘導樋３５内に残って、流下阻止部材２２が進入するときの妨げとならず、迅速な排出の停止が可能となる。
　【００４４】図８に前記入賞球処理装置４０の一実施例の詳細を示す。裏機構盤１の裏面に設けられた集合樋１０は中央に向かって下り傾斜され、中央に流路変換部１０Ｃが設けられている。この流路変換部１０Ｃは、左右の案内棚１０Ａ，１０Ｂに段差を生ぜしめる垂直壁１０ａと、この垂直壁１０ａに固定され右側の案内棚１０Ａより流下してきた入賞球を前方へ方向転換せしめるべく前端が円弧状に形成されてなる誘導片１０ｂと、誘導片１０ｂの下方の案内棚１０Ａの終端部にて前方へ緩やかに下り傾斜するように形成されたテーパ部１０ｃとにより構成されている。
　【００４５】上記流路変換部１０Ｃに対応して、集合樋１０を覆うように取り付けられるパネルと一体の保持枠体４１には球一つが通過可能な流出口４１ａが形成され、この流出口４１ａの一側及び下辺に沿ってＬ字状の入賞球案内板４２が設けられ、流入した入賞球は９０度方向転換せしめられる。上記入賞球案内板４２の側方に位置するように球処理器４３が支軸４４によって揺動可能に取り付けられている。この球処理器４３の上記入賞球案内板４２に対向する側には、凹状をなす球受け部４３ａが形成されていると共に、その反対側には錘４５が取り付けられ、通常状態において錘４５の取付け側がその重みで下がるようになっている。そして、反対側の球受け部４３ａの下辺が上記入賞球案内板４２の下面に当接してそれ以上の回転が阻止され、バランスが保たれる。この状態で図９のように入賞球案内板４２上から球受け部４３ａに入賞球が流下してくると、球の重みによって球処理器４３が時計回り方向へ回転するように、錘４５の重さが決定されている。流入した球の重みによって回転した球処理器４３は下辺が保持枠体４１に当接することにより停止される。
　【００４６】球処理器４３には、この停止状態で上記入賞球案内板４２に対向する位置に阻止片４３ｂが突設されている。これによって、２以上の入賞球が連続して発生した場合に、２番目以降の入賞球は図１０のように阻止片４３ｂによって流下が阻止されて、入賞球案内板４２上で待機させられる。また、その取付け位置は制限されないが、例えば球処理器４３の上部に、検知片４３ｃが設けられていると共に、この検知片４３ｃに対応して保持枠体４１には、一対の投光器及び受光器を対向配設してなる光センサのような入賞球検出器９１が取り付けられている。
　【００４７】さらに、上記球処理器４３の側方にはソレノイド４６が配設されており、球受け部４３ａに入賞球が流入することによって回動された球処理器４３の球受け部４３ａ下辺に対向する位置に、上記ソレノイド４６のプランジャ４６ａ先端に固着されたストッパ４７が臨むようにされている。このソレノイド４６は、消磁状態においてプランジャ先端のストッパ４７が、スプリング４８によって下方へ引き下げられ、球受け部４３ａに保持されて下方の入賞球導出樋１２に向かって流下しようとしている入賞球に当接してその流下を阻止するようにされる（図１０参照）。そして、ソレノイド４６が励磁されるとプランジャ４６ａが収縮してストッパ４７が上昇され、球受け部４３ａ内に保持されていた入賞球が導出樋１２へ向かって流下する。なお、ストッパ４７には操作片４７ａが突設されており、球詰まりやソレノイドの故障時等において、パチンコ店の係員が手動でストッパ４７を移動させて入賞球を排出できるようにされている。
　【００４８】ソレノイド４６は例えば賞品球排出装置２０における排出終了信号を受けて作動されるようにされる。ソレノイド４６が励磁されて入賞球が流下させられると、球処理器４３が錘４５の重みによって反時計回り方向に回動されて、阻止片４３ｂが上昇する。そのため連続して発生し入賞球案内板４２上で待機させられていた次の入賞球が球受け部４３ａ内に流入し、再び球処理器４３が時計回り方向に回転される。このようにして、上記動作を繰り返すことにより、短時間に発生した多量の入賞球が速やかに分離検出され、処理される。前述したように賞品球排出装置２０として、ソレノイドによって流下阻止部材２２を流下経路３０内に進入させたり後退させたりして賞品球の排出を制御するストッパ式のものを使用した場合、単に入賞球導出樋１２の途中にセーフセンサを取り付けて入賞球を検出し、それを電気的に記憶しておくことにより、高速の排出制御を行なわせることも可能である。
　【００４９】これに対し、上記実施例の入賞球処理装置４０では、球処理器４３によって入賞球を一個ずつ分離して検出しているので、前の入賞球と次の入賞球との検出間隔を必要かつ充分にとれる。そのため、連続して発生した入賞球をより正確に検出することができる。なお、球鞘ケース方式の賞品球排出装置を用いた従来の遊技機においても入賞球を一個ずつ分離して賞品球の排出制御を行なっているが、従来の入賞球処理装置では、分離された入賞球でレバーを動かしてその動きで球鞘ケースのストッパを外して傾動させて排出させ、さらにこの球鞘ケースの傾動を物理的に球処理器に伝えて、次の入賞球の流下を許容させるようになっているため、上記実施例の入賞球処理装置４０に比べて応答速度が遅く、短時間に多量に発生する入賞球の処理には不向きである。
　【００５０】また、上記実施例の入賞球処理装置４０では、賞品球排出装置２０における排出終了を確認してからソレノイド４６を作動させて前の入賞球を排出し、次の入賞球の検出に進むように制御できるので、入賞球が発生したのに賞品球が払い出されないといったような、遊技客と遊技店との間で生じるトラブルを防止することができる。つまり、賞品球の排出がなければ入賞球はストッパのところに残っているので、そこを見れば遊技客の主張が正しいか否かすぐに分かる。しかも、入賞球と賞品球の排出が一対一の関係にあり、排出が停止している間は入賞球の処理も中断され、かつ未排出に係る入賞球は待機させられているため、停電対策が不要となる。つまり、入賞球を予め検出してメモリやカウンタに電気的記憶させておくようにすると、停電時に記憶数が消滅されてしまわないようにするため電池によるバックアップ等の停電対策が必要であるが、上記実施例の入賞球処理装置４０を使用するとその必要性がなくなる。
　【００５１】さらに、上記実施例においては、入賞球の検出を、球処理器４３の回動の検出という間接的な方法で行なっているため、パチンコ球に帯電した静電気による入賞球検出器９１としてのセーフセンサ１の誤動作が防止される。つまり、上記実施例の場合、入賞球の通過経路にセンサ１を臨ませておくことにより直接入賞球を検出することも可能であるが、そのようにするとセンサ１が入賞球に帯電した静電気により誤動作されるおそれがあるが、間接的に検出することによりセンサ１の誤動作を防止することができる。なお、上記実施例では、入賞球処理装置を図８のごとく構成したのに対応して、右側の案内棚１０Ａに傾斜角αとして６〜８°の角度を与え、左側の案内棚１０Ｂには傾斜角βとして１４〜１６°の角度を与えて左右の案内棚１０Ａと１０Ｂを流下する入賞球の速度を異ならしめると共に、垂直壁１０ａの高さｈを１２ｍｍ以上に設定している。これによって、複数個の入賞球が発生して左右から同時に入賞球が流下して来ても流路変換部１０Ｃでの球詰まりを未然に防止できるようになっている。
　【００５２】次に、入賞球検出器９１や特定入賞検出器９４からの検出信号に基づいて、上記賞品球排出装置２０を制御して所定数の賞品球の排出や打球発射装置１０２等の制御を行う制御装置２００の一実施例について、図１１を用いて説明する。この実施例では、賞品球排出装置２０及び打球発射装置１０２等の制御を共用する電源により１の制御装置２００を用いて行なうようになっている。ＣＰＵ２００’には、前記実施例における賞球数設定器８０，８１，８２や記憶排出スイッチ８３、球抜きスイッチ８４、入賞球検出器９１（以下、セーフセンサ１と称する）、オーバーフロー検出器９２、球不足検出器９３、特定入賞検出器９４（以下、セーフセンサ２と称する）からの検出信号が入力される。賞球数設定器８０，８１，８２が設けられていることにより、賞品球数の異なる機種（パチンコ機）を制御できるとともに、特定入賞口とそれ以外の入賞口への入賞に対する賞品球数の異なる排出制御が可能となる。
　【００５３】また、ＣＰＵ２００’には、賞品球排出装置２０の流下経路３０の途中に設けられた一対の排出球検出器（以下排出センサと称する）２５からの排出球検出信号が、入力されるようになっている。さらに、本制御装置２００には、図示しない遊技店の集中管理装置からの打止め指令信号が入力される。ＣＰＵ２００’は、内部に読出し専用メモリたるＲＯＭ２０１および随時読出し書き込み可能なメモリたるＲＡＭ２０２を有している。このうち、ＲＯＭ２０１には、賞品球排出装置２０等の制御を行うためＣＰＵ２００’が実行すべきプログラムおよびセーフソレノイド４６の駆動時間やウェイト時間（排出間隔）のような固定データを記憶する。
　【００５４】一方、本実施例に示すＲＡＭ２０２は上記排出センサ２５からの排出球検出信号に基づいて、各流下経路３０から排出された球の累積数等を記憶するメモリ領域や各流下経路の排出球数を設定したり、ソフトタイマを構成するレジスタ領域およびＣＰＵ２００’の作業領域（ワークエリア）を提供している。さらに、本実施例に示す制御におけるＣＰＵ２００’には、ドライバ２２０を介して、賞品球排出装置２０内の一対のソレノイド（以下排出ソレノイドと称する）２１や入賞球処理装置４０内のソレノイド（以下セーフソレノイドと称する）４６、さらに、本実施例にあっては賞球ランプ１２２、完了ランプ１２３や賞球数表示器１２４、パイロットランプ１２５、不良警告表示ランプ１２６等の表示装置（いずれも図２参照）および打球発射装置１０２などが接続されている。本実施例に示すＣＰＵ２００’はＲＯＭ２０１内のプログラムに従って、上記設定器や各種検出器及びスイッチからの信号に基づいて賞品球排出装置２０や各種表示ランプ、打球発射装置１０２などを駆動するようになっている。従って、本実施例では特に限定されるものではないが、ＣＰＵ２００’，ＲＡＭ２０２，ＲＯＭ２０１，ドライバ２２０等が駆動制御部として機能している。
　【００５５】ＣＰＵ２００’の主たる処理は、オーバーフロー処理，タンク処理，球抜き処理，入賞球検出処理，賞品球排出処理である。ただし、処理の手順は、上記順序に限定されず、いずれの処理から実行するようにしてもよい。上記処理をタイマ割込みなどにより繰返し実行することによってパチンコ遊技機の制御が行なわれる。ここで、オーバーフロー処理は、オーバーフロー検出器９２からの検出信号を検知して、例えば、オーバーフローランプ１２７を所定の時間（１０〜２０秒）点灯もしくは点滅させ、それでもオーバーフロー状態が解除されていない場合には、打球発射装置１０２による発射動作を停止させることを内容とする。これによって、賞品球導出樋１３内が賞品球排出装置２０の近くまで賞品球で満たされて、排出動作に悪影響を及ぼすのを回避することができる。
　【００５６】タンク処理は、貯留タンク２が空になって球不足検出器９３がオフされたことを検知すると、例えば、球の補給要求を集中管理室に送ると共に完了ランプ１２３を点灯させ、これと同時にもしくはその後賞品球排出装置２０内の排出センサ２５の信号に基づいて球無し状態を検知すると、駆動制御部としてのドライバ２２０を介して打球発射装置１０２を停止させる。球補給要求信号が集中管理室に送られると、集中管理室からの指令によって、タンク上方の補給装置（図示省略）が作動されて、貯留タンク２への補給が行なわれる。球抜き処理は、球抜装置６０の切替ゲートが球抜樋１６の入口を開いて賞品球導出樋１３の入口を閉鎖する方向に切り替えられたことを、球抜きスイッチ８４からの信号に基づいて検知すると、賞品球排出装置２０内のソレノイド２１を作動させて、２条の流下経路３０を通して連続的に予備球を排出させて、貯留タンク２を空にするものである。
　【００５７】本実施例における入賞球検出処理と賞品球排出処理は、相互に関連し複雑になるので、図１２〜図１５に詳細な処理手順を示し、以下これに基づいて説明する。電源投入または割込み発生により処理が開始されると、先ず入賞球を検知する前に、セーフセンサ１，セーフセンサ２に対応して各々の入賞球数を記憶するＲＡＭ２０２内のセーフメモリ１，セーフメモリ２や各種レジスタおよびフラグ類の初期設定を行なった後（ルーチンＲ１）、賞球数設定器１，２，３のオン、オフ状態を読み込んで賞品球排出装置２０における各流下経路ごとの一回に排出される賞品球数（以下排出基数と称する）の決定を行なう（ルーチンＲ２）。前記実施例の遊技機（図１参照）においては、排出基数の設定のためディップスイッチからなる賞球数設定器８０，８１，８２が設けられている。そこで、ＣＰＵ２００’はこれらのスイッチ８０，８１，８２のオン（“１”），オフ（“０”）状態の組み合わせに応じて、例えば次表のように通常排出時のソレノイド１側と２側の排出基数１と２を設定すると共に、各特定入賞口１０７，１０８へ入賞した特定入賞球に対する小排出時の賞品球数となる排出基数３を設定する。ここでは、一例として通常排出時の賞品球数（Ｎ個）を１１個、１３個、１５個のいずれかに、また小排出時の賞品球数（Ｍ個：Ｎの略１／２若しくは１／３）を３個、５個、６個、７個のいずれかに設定する場合が示されている。
　【００５８】
【表１】
　上記表１において排出ソレノイド１側とは、２条の流下経路３０のうち取付け基板に近い側の経路に設けられたソレノイドを指し、上記表１においては排出ソレノイド１側の排出基数の方が常に排出ソレノイド２側よりも大きくなるように決定されている。このような関係に設定しているのは、流下経路を２条とした場合、貯留タンク２から案内樋１１を通って賞品球排出装置２０へ向かって流下する球の流れが基板に近い側の流下経路の方が円滑であり、遠い側の方は常に球が不足がちになり易いからである。そこで、表１のように常に排出ソレノイド１側の排出基数を大きくしておくことにより、２条の流下経路３０に対する球の供給のバランスを図ることが可能となる。
　【００５９】なお、図７に示した賞品球排出装置２０により、設定されたｎ個の賞品球を排出させる場合、排出センサ２５の取付け位置の下流側に、流下阻止部材２２によって阻止されている球が一つあり、排出センサ２５が一つ前の球を検出している状態で次の排出指令を待つことになる。そのため、実際の制御では、設定数ｎよりも「１」少ないｎ−１個目の球を排出センサが検出した時点で流下阻止部材２２を作動させるソレノイド２１に対する制御信号を変化させてやる必要がある。上記排出基数設定処理（ルーチンＲ２）が終了すると、２秒間のアイドルタイムの経過を待って（ルーチンＲ３）、次のルーチンへ進み、セーフセンサ１（入賞球検出器９１）が一定時間オンされているか否か判定する（ルーチンＲ４）。ここで、ノオ（否）と判定されると、次のルーチンＲ５でセーフセンサ１の出力の立上りがあったか否か判定し、ノオならばそのままルーチンＲ７へ進む。
　【００６０】一方、上記ルーチンＲ４とルーチンＲ５のいずれかにおいてイエスつまり入賞球有りと判定されると、ルーチンＲ６へ進んでＣＰＵ内のセーフメモリ１の記憶を「１」にしてからルーチンＲ７へ進む。ルーチンＲ７ではセーフセンサ２（特定入賞検出器９４）の出力の立上りがあったか否か判定し、ノオならばそのままルーチンＲ９へ進み、イエスならばルーチンＲ８で入賞記憶手段としてのセーフメモリ２の記憶を「１」だけ増やしてからルーチンＲ９へ進む。ルーチンＲ９では処理番号の入るレジスタ内の番号が「１」になっているか否か判定し、イエスならば符号Ａで示される排出球検出処理ヘジャンプする。しかして、処理番号レジスタはルーチンＲ１での初期設定で「０」にリセットされているため、ルーチンＲ９での最初の判定ではノオとなって、次のルーチンＲ１０へ進む。ここでは、処理番号レジスタ内の番号が「２」であるか否か判定し、イエスならば符号Ｂで示される後処理ヘジャンプすることになるが、最初の判定ではルーチンＲ９と同様にノオとなって、ルーチンＲ１１へ進む。
　【００６１】ルーチンＲ１１ではセーフメモリ１の記憶が「０」でないか判定し、ノオすなわち入賞記憶が「０」のときは上記ルーチンＲ５へ戻る。しかして、ルーチンＲ６で入賞記憶がインクリメントされてからルーチンＲ１１へ来た場合にはイエスと判定されて、ルーチンＲ１２へ移行する。ルーチンＲ１２では、セーフメモリ２の記憶が「０」でないか判定し、入賞記憶が「０」のときはルーチンＲ１３〜Ｒ１６からなる一連の通常排出処理へ移行する。すなわち、先ずルーチンＲ１３で賞球数表示器１２４のうち通常排出数を表示する表示器Ｌ１を駆動し、ルーチンＲ２で設定した排出基数１と２の合計数を表示させてから、ルーチンＲ１４で排出レジスタ１に排出基数１（表１参照）を、またルーチンＲ１５で排出レジスタ２に排出基数２をそれぞれロードする。それから、ルーチンＲ１６で排出ソレノイド１と２をオンさせてから、ルーチンＲ２６で処理番号レジスタに「１」をセットして、ルーチンＲ５へ復帰する。
　【００６２】一方、上記ルーチンＲ１２でイエスつまりセーフメモリ２の入賞記憶ありと判定すると、ルーチンＲ１７〜Ｒ２５からなる小排出処理へ移行する。すなわち、先ずルーチンＲ１７で小排出フラグに“１”をセットして小排出処理に移ったことを明記してから、賞球数表示器１２４のうち小排出数を表示する表示器Ｌ２を駆動してルーチンＲ２で設定した特定入賞球に対する賞品球数を表示させる。ここで、前の排出が通常排出であった場合には、表示器Ｌ１を消灯してから表示器Ｌ２を点灯させる。つまり、表示器Ｌ１とＬ２はいずれか一方が点灯され、同時に点灯されることはない。表示器Ｌ２点灯後、ルーチンＲ１９へ進んで反転フラグが“０”になっているか否か判定し、“０”ならばルーチンＲ２０へ進み、反転フラグを“１”に変更してから、ルーチンＲ２１で排出レジスタ１に排出基数３を設定する。しかる後、ルーチンＲ２２で排出ソレノイド１をオンした後、ルーチンＲ２６へ移行して処理番号を１に変更してルーチンＲ５へ戻る。
　【００６３】しかして、ルーチンＲ１９で反転フラグが“０”でないと判定すると、ルーチンＲ２３へ移行して反転フラグを“０”に変更してから、排出レジスタ２に排出基数３を設定（ルーチンＲ２４）した後、排出ソレノイド２をオン（ルーチンＲ２５）して、ルーチンＲ２６へ進む。このように小排出処理では、反転フラグの状態（１ｏｒ０）に応じて、排出数は同じであるが駆動する排出ソレノイドを変えている。しかも、排出ソレノイドを駆動する度に反転フラグを変更つまり反転させている。そのため、賞品球排出装置２０内の２条の流下経路３０に対応した２つの排出ソレノイド１と２が交互に駆動されるようになる。その結果、小排出の際に案内樋１１内の２条の通路の一方からのみ賞品球が供給されるのを回避することができる。すなわち、案内樋１１内の通路の一方のみ球が頻繁に流れると入口の近くで球が石垣状に重なって球詰まりを生じさせ易いが、上記フローに従うとそのような球詰まりを防止することができる。
　【００６４】ルーチンＲ２６からルーチンＲ５へ戻ると再び上記処理Ｒ５〜Ｒ８を繰り返すわけであるが、今度は処理番号レジスタが「１」にセットされているため、ルーチンＲ９でイエスと判定されて排出球検出処理Ａ（図１５参照）ヘジャンプする。この排出球検出処理Ａでは、先ず排出センサ１の出力の立上りがあったか否か判定し（ルーチンＲ３１）、ノオならばそのままルーチンＲ３５へ進み、排出センサ２の出力の立上りがあったか否か判定する。しかして、ルーチンＲ３１でセンサ出力の立上りが検知されるとルーチンＲ３２へ進み、ここで排出レジスタの内容を「１」だけ減算してから、次のルーチンＲ３３で排出レジスタの値が「０」になったか否か判定する。ここで、イエスと判定されると排出ソレノイドをオフさせる（ルーチンＲ３４）が、排出開始直後はルーチンＲ３３でノオと判定され、ルーチンＲ３５へ進む。
　【００６５】ルーチンＲ３５〜３８では排出系２について、上記排出系１に関する処理（ルーチンＲ３１〜Ｒ３４）と同様の処理を実行してから、ルーチンＲ３９へ進む。ルーチンＲ３９では、排出レジスタ１と２の値の和が「０」か否か判定し、ノオすなわち「０」になっていない場合には、ルーチンＲ５へ復帰して、再び上記手順を踏む。しかして、ルーチンＲ３９でイエスつまり賞品球排出装置２０において所定数の賞品球の排出が終了したと判定されると、ルーチンＲ４１へ進み、先ずセーフソレノイドをオンさせる。これによって入賞球処理装置４０において次の入賞球の取り込みが可能となる。セーフソレノイドをオンさせた後は、ルーチンＲ４２でセーフソレノイド用のタイマ（例えば１００ｍｓ）を、またルーチンＲ４３でウェイト時間用のタイマ（例えば６００ｍｓ）をそれぞれセットしてから、ルーチンＲ４４で処理番号レジスタの内容を「２」に変更し、ルーチンＲ５へ復帰する。
　【００６６】すると、今度はルーチンＲ１０から後処理Ｂヘジャンプし、先ずルーチンＲ５１でセーフタイマがタイムアップしたか判定し、ノオならばそのまま、またイエスならばセーフソレノイドをオフして（ルーチンＲ５２）から、ルーチンＲ５３へ進む。ルーチンＲ５３ではウェイトタイマがタイムアップしたか否か判定し、ノオならばそのままルーチンＲ５へ戻って再び上記処理を繰返し、イエスならばルーチンＲ５４でセーフメモリ１の入賞記憶を「１」だけ減算する。つまりゼロがセットされることになる。そして、ルーチンＲ５５で小排出フラグが“１”か否か判定し、“０”ならそのままルーチンＲ５８へ、また“１”なら、ルーチンＲ５６でセーフメモリ２を「１」だけ減算し、ルーチンＲ５７で小排出フラグを“０”にリセットしてからルーチンＲ５８へ進み、処理番号レジスタを「０」にリセットしてルーチンＲ５へ復帰する。
　【００６７】以上説明したように上記実施例においては、第１及び第２の特定入賞口１０７または１０８へ入賞し、特定入賞球集合樋１８上に流下して特定入賞検出器９４によって検出された入賞球は、集合樋１０上に流下して入賞球処理装置４０に入り、その中で再び入賞球検出器９１によって検出されるようになっている。しかして、特定入賞検出器９４によって検出された特定入賞球が入賞球処理装置４０に入る前に、それ以前に発生した一般入賞球があればそれによって賞品球排出装置２０が作動されるときに小排出を優先的に実行させるようになっている。この実施例のように小排出が通常排出よりも優先して実行されるようにしておけば、遊技者は第１及び第２の特定入賞口１０７や１０８への入賞だから賞品球が少ないと納得することができる。逆に小排出が通常排出よりも優先されておらず、特定入賞口への入賞があってからかなり時間を経過したところで小排出が実行されるようになっていると、小排出と特定入賞口への入賞との関係が理解し難いので、遊技者は故障により賞品球が少なくなったと勘違いしてトラブルの原因となるおそれがあるが、上記実施例ではそのような誤認が少くなる。しかも、上記実施例では遊技盤１００前面の賞球数表示器１２４で賞球数の表示を逐次切り替えて表示するようにしているので、さらに誤認によるトラプルの発生が少なくなる。
　【００６８】次に、入賞球の検出に係る参考例を図１６〜図２１を用いて説明する。図１６は、第１の実施例の遊技機における裏機構盤１の構成例を示す図１に対応するもので、図１の実施例と異なるのは、特定入賞口１０７および１０８へ入賞した打球を集合させる特定入賞球集合樋１８の流下端部が、一般入賞口１０６等へ入賞した打球を集合させる集合樋１０の内側に開口されておらず、入賞球処理装置４０にて一個ずつ分離、検出された後の一般入賞球を流下させる入賞球導出樋１２に合流されている点である（図１におけるＸ−Ｘに沿った断面を示す図１７参照）。その他の構成は第１実施例と同じである（図４〜図１１参照）。従って、第１の実施例では特定入賞検出器９４によって検出された特定入賞球が再び入賞球検出器９１によって検出されるようになっているのに対し、第２の実施例では、特定入賞球は一般入賞球とは別個にしかも一回だけ検出されて、そのまま機外排出されるようになる。ただし、この実施例においても特定入賞球検出器９４からの検出信号に基づいて、特定入賞球に対する小排出を優先的に処理するようになっている。
　【００６９】図１８〜図２１に、第２の実施例におけるセーフ球処理および賞品球排出処理の手順の一例を示す。この実施例のフローは、ルーチンＲ１〜Ｒ１０まで、図１２に示した第１の実施例のフローと同様である。すなわち、電源投入または割込み発生により処理が開始されると、先ず入賞球を検知する前に、セーフセンサ１，２に対応して入賞球数を記憶するセーフメモリ１，２や各種レジスタおよびフラグ類の初期設定を行なった後（ルーチンＲ１）、賞球数設定器１，２，３のオン、オフ状態を読み込んで賞品球排出装置２０における各流下経路ごとの排出基数の設定を行なう（ルーチンＲ２）。
　【００７０】それから、２秒間のアイドルタイムの経過を待って（ルーチンＲ３）、次のルーチンへ進み、セーフセンサ１が一定時間オンされているか否か判定する（ルーチンＲ４）。ここで、ノオ（否）と判定されると、次のルーチンＲ５でセーフセンサ１の出力の立上りがあったか否か判定し、ノオならばそのままルーチンＲ７へ進む。一方、上記ルーチンＲ４とルーチンＲ５のいずれかにおいてイエスつまり入賞球有りと判定されると、ルーチンＲ６へ進んでＣＰＵ内のセーフメモリ１の記憶を「１」だけ増やしてからルーチンＲ７へ進む。ルーチンＲ７ではセーフセンサ２の出力の立上りがあったか否か判定し、ノオならばそのままルーチンＲ９へ進み、イエスならばルーチンＲ８でセーフメモリ２の記憶を「１」だけ増やしてからルーチンＲ９へ進む。
　【００７１】ルーチンＲ９では処理番号が「１」になっているか否か判定し、イエスならば符号Ａで示される排出球検出処理ヘジャンプする。しかして、処理番号レジスタはルーチンＲ１での初期設定で「０」にリセットされているため、ルーチンＲ９での最初の判定ではノオとなって、次のルーチンＲ１０へ進む。ここでは、処理番号レジスタ内の番号が「２」であるか否か判定し、イエスならば符号Ｂで示される後処理ヘジャンプすることになるが、最初の判定ではルーチンＲ９と同様にノオとなって、ルーチンＲ１１へ進む。ルーチンＲ１１ではセーフメモリ２の記憶が「０」でないか判定し、ノオすなわち入賞記憶が「０」のときはルーチンＲ１２へ進む。しかして、ルーチンＲ８で入賞記憶がインクリメントされてからルーチンＲ１１へ来た場合にはイエスと判定されて、ルーチンＲ１７〜Ｒ２５からなる一連の小排出処理へ移行する。
　【００７２】すなわち、先ずルーチンＲ１７で小排出フラグに“１”をセットして小排出処理に移ったことを明記してから、賞球数表示器１２４のうち小排出数を表示する表示器Ｌ２を駆動してルーチンＲ２で設定した特定入賞球に対する賞品球数を表示させる。表示器Ｌ２点灯後、ルーチンＲ１９へ進んで反転フラグが“０”ならばルーチンＲ２０へ進み、反転フラグを“１”に変更してから、ルーチンＲ２１で排出レジスタ１に排出基数３を設定する。しかる後、ルーチンＲ２２で排出ソレノイド１をオンした後、ルーチンＲ２６へ移行して処理番号を１に変更してルーチンＲ５へ戻る。しかして、ルーチンＲ１９で反転フラグが“０”でないと判定すると、ルーチンＲ２３へ移行して反転フラグを“０”に変更してから、排出レジスタ２に排出基数３を設定（ルーチンＲ２４）した後、排出ソレノイド２をオン（ルーチンＲ２５）して、ルーチンＲ２６へ進む。
　【００７３】このように小排出処理では、反転フラグの状態（１ｏｒ０）に応じて、排出数は同じであるが駆動する排出ソレノイドを変えている。しかも、排出ソレノイドを駆動する度に反転フラグを変更つまり反転させている。そのため、賞品球排出装置２０内の２条の流下経路３０に対応した２つの排出ソレノイド１と２が交互に駆動されるようになる。その結果、案内樋１１内の２条の通路の一方からのみ小排出のための賞品球が供給されるのを回避することができる。一方、ルーチンＲ１１でノオつまり特定入賞記憶なしと判定すると、ルーチンＲ１２へ移行する。ルーチンＲ１２では、セーフメモリ１の記憶が「０」でないか判定し、入賞記憶があるときはルーチンＲ１３〜Ｒ１６からなる一連の通常排出処理へ移行する。
　【００７４】すなわち、先ずルーチンＲ１３で賞球数表示器１２４のうち通常排出数を表示する表示器Ｌ１を駆動し、ルーチンＲ２で設定した排出基数１と２の合計数を表示させてから、ルーチンＲ１４で排出レジスタ１に排出基数１（表１参照）を、またルーチンＲ１５で排出レジスタ２に排出基数２をそれぞれロードする。それから、ルーチンＲ１６で排出ソレノイド１と２をオンさせてから、ルーチンＲ２６で処理番号レジスタに「１」をセットして、ルーチンＲ５へ復帰する。ルーチンＲ２６からルーチンＲ５へ戻ると再び上記処理Ｒ５〜Ｒ８を繰り返すわけであるが、今度は処理番号レジスタが「１」にセットされているためルーチンＲ９でイエスと判定されて排出球検出処理Ａ（図２１参照）ヘジャンプする。
　【００７５】この排出球検出処理Ａでは、先ず排出センサ１の出力の立上りがあったか否か判定し（ルーチンＲ３１）、ノオならばそのままルーチンＲ３５へ進み、排出センサ２の出力の立上りがあったか否か判定する。しかして、ルーチンＲ３１でセンサ出力の立上りが検知されるとルーチンＲ３２へ進み、ここで排出レジスタ１の内容を「１」だけ減算してから、次のルーチンＲ３３で排出レジスタ１の値が「０」になったか否か判定する。ここで、イエスと判定されると排出ソレノイドをオフさせる（ルーチンＲ３４）が、排出開始直後はルーチンＲ３３でノオと判定され、ルーチンＲ３５へ進む。ルーチンＲ３５〜３８では、排出系２について上記排出系１に関する処理（ルーチンＲ３１〜Ｒ３４）と同様の処理を実行してから、ルーチンＲ３９へ進む。
　【００７６】ルーチンＲ３９では、排出レジスタ１と２の値の和が「０」か否か判定し、ノオすなわち「０」になっていない場合には、ルーチンＲ５へ復帰して、再び上記手順を踏む。しかして、ルーチンＲ３９でイエスつまり賞品球排出装置２０において所定数の賞品球の排出が終了したと判定されると、ルーチンＲ４１へ進み、小排出フラグが“１”になっているか否か判定し、“１”ならそのままルーチンＲ４４ヘジャンプし、“０”ならルーチンＲ４２でセーフソレノイドをオンさせる。これによって通常排出時には入賞球処理装置４０において次の入賞球の取り込みが可能となるとともに、小排出時には排出が終了しても入賞球処理装置４０は動作されないようになる。ルーチンＲ４３でセーフソレノイド用のタイマを、またルーチンＲ４４ではウェイト時間用のタイマをそれぞれセットしてから、ルーチンＲ４５で処理番号レジスタの内容を「２」に変更し、ルーチンＲ５へ復帰する。
　【００７７】すると、今度はルーチンＲ１０から後処理Ｂヘジャンプし、先ずルーチンＲ５１でセーフタイマがタイムアップしたか判定し、ノオならばそのまま、またイエスならばセーフソレノイドをオフして（ルーチンＲ５２）から、ルーチンＲ５３へ進む。ルーチンＲ５３ではウェイトタイマがタイムアップしたか否か判定し、ノオならばそのままルーチンＲ５へ戻って再び上記処理を繰返し、イエスならばルーチンＲ５４で小排出フラグが“１”か否か判定し、“０”ならルーチンＲ５５でセーフメモリ１の入賞記憶を「１」だけ減算する。つまり０がセットされることになる。また“１”なら、ルーチンＲ５６でセーフメモリ２を「１」だけ減算し、ルーチンＲ５７で小排出フラグを“０”にリセットしてからルーチンＲ５８へ進み、処理番号レジスタを「０」にリセットしてルーチンＲ５へ復帰する。
　【００７８】以上説明したように第２実施例においては、特定入賞口１０７または１０８へ入賞した打球は特定入賞検出器９４によって、また一般入賞口へ入賞した打球は、入賞球処理装置４０内の入賞球検出器９１によって各々別個に検出されるようになっており、特定入賞球が検出されると、その前に一般入賞球が発生して入賞球処理装置４０の入口に待機していても特定入賞球に対する小排出が優先的に実行される。そして、小排出が終了しても入賞球処理装置４０は動作されず、既に通常入賞球が入賞球処理装置４０に取り込まれていれば、それに対する通常排出が終了してから、入賞球処理装置４０における次の入賞球の取り込みが行なわれる。従って、通常排出と小排出とが速やかに進行し、かつ遊技者による賞品球数に対する誤認が防止される。
　【００７９】なお、上記実施例では、弾球遊技機として可変表示型の補助遊技装置を備えたパチンコ遊技機に適用したものについて説明したが、それに限定されるものでなく、例えば比較的入賞確率が低く設定された特別入賞口に入賞すること（第１条件）により特別遊技の権利を発生させ、この権利発生中に特定入賞口へ入賞すること（第２条件）により、変動入賞装置を開放させるようにしたパチンコ遊技機等の各種の弾球遊技機についても適用することができ、これによって特定入賞口への入賞率を高くしても遊技店の利益が損なわれず、しかも遊技者にとっては特別入賞口への再度の入賞による権利消滅に対する不安が低減されるようにすることができる。また、上記実施例では、特定入賞口への入賞に対してのみ他の入賞口よりも少ない賞品球を与えているが、特定の入賞口への入賞に対して他の入賞口よりも多い賞品球を与えたり、賞品球の異なる３種類以上の入賞口を遊技部内に有するパチンコ遊技機にも適用することができる。さらに、例えば制御手段を、図１や図１６に示されているように賞品球排出装置２０等の制御を行なう制御装置２００と、変動入賞装置等を制御する遊技内容制御装置２１０とで構成した場合、賞品球排出装置２０により排出すべき賞品球数を、上記遊技内容制御装置２１０が制御装置２００に送信するようにして排出レジスタ１，２に設定するようにしてもよい。また、本実施例においては、ＣＰＵ２００’を共用して賞品球排出装置２０及び打球発射装置１０２を制御するようにしているが、ＣＰＵを個別に備えるようにする等適宜な回路構成を採用することもできる。
　【００８０】
　【発明の効果】以上説明したように本発明は、遊技盤に形成された遊技領域における弾球遊技を行い得るように構成されて、遊技機内から発生する電気信号を受けて、該遊技機に設けられた電気的作動装置を制御する制御手段を備えた弾球遊技機であって、電気的作動装置は、裏機構盤に設けられた球排出装置と打球を弾発するための保持枠裏面側に設けられた打球発射装置及び遊技盤に設けられた電気的遊技装置とを少なくとも含み、上記制御手段は、一方を上記球排出装置を制御する枠側制御回路に構成すると共に、他方を上記電気的遊技装置等を制御する遊技盤側制御回路に分割して構成し、上記枠側制御回路には、上記打球発射装置を電気的に制御するための駆動制御部を一体的に含める構成として、上記枠側制御回路を、複数種類の遊技機で共通的に利用できるようにしたので、遊技機製造工場にとっては、配線処理を含む組立作業が簡素化できると共に、部品管理の上からも簡素化できるという効果がある。また、遊技店における新装開店時や遊技盤の交換時の分離式遊技盤に対するコスト的な負担を軽減できるという優れた効果がある。また、遊技内容が異なった複数種類の遊技機であっても、枠側制御回路は互換性があるので、枠側制御回路の故障時における交換作業等が容易に且つ迅速に行えるという効果がある。さらに、枠側制御回路と遊技盤側制御回路とに分割して個別に構成することで、各制御回路自体を比較的小型化することができ、各種の部品が配設されている遊技機裏側におけるこれら制御回路の取付け場所の自由度を拡大することができるという効果もある。
【図面の簡単な説明】
　【図１】本発明に係る弾球遊技機の裏機構盤全体の一実施例を示す背面図である。
　【図２】本発明が適用される弾球遊技機の前面の構成例を示す正面図である。
　【図３】遊技部が構成されている遊技盤の裏面の構成例を示す背面図である。
　【図４】予備球の貯留タンク、案内樋及び賞品球排出装置の構成例を示す斜視図である。
　【図５】賞品球排出装置の構成例を示す斜視図である。
　【図６】その賞品球排出装置の流下経路の断面状態を示す斜視図である。
　【図７】賞品球排出装置の作用を示す作用説明図である。
　【図８】入賞球処理装置の構成例を示す斜視図である。
　【図９】その入賞球処理装置の作用を示す作用説明図である。
　【図１０】同じく入賞球処理装置の作用を示す作用説明図である。
　【図１１】パチンコ遊技機の制御システムの一例を示すブロック図である。
　【図１２】ＣＰＵによる入賞球検出処理及び賞品球排出処理の手順の一例を示すフローチャートである。
　【図１３】ＣＰＵによる入賞球検出処理及び賞品球排出処理の手順の一例を示すフローチャートで、図１２のフローチャートの符号Ｄの続きを示す。
　【図１４】ＣＰＵによる入賞球検出処理及び賞品球排出処理の手順の一例を示すフローチャートで、図１２のフローチャートの符号Ｂの続きを示す。
　【図１５】ＣＰＵによる入賞球検出処理及び賞品球排出処理の手順の一例を示すフローチャートで、図１２のフローチャートの符号Ａの続きを示す。
　【図１６】本発明に係る弾球遊技機の裏機構盤の第２の実施例を示す背面図である。
　【図１７】図１６におけるＸ−Ｘ線に沿った断面図である。
　【図１８】参考例におけるＣＰＵによる入賞球検出処理及び賞品球排出処理の手順の一例を示すフローチャートである。
　【図１９】参考例におけるＣＰＵによる入賞球検出処理及び賞品球排出処理の手順の一例を示すフローチャートで、図１８のフローチャートの符号Ｅの続きを示す。
　【図２０】参考例におけるＣＰＵによる入賞球検出処理及び賞品球排出処理の手順の一例を示すフローチャートで、図１８のフローチャートの符号Ｂの続きを示す。
　【図２１】参考例におけるＣＰＵによる入賞球検出処理及び賞品球排出処理の手順の一例を示すフローチャートで、図１８のフローチャートの符号Ａの続きを示すものである。
　【符号の説明】
１　　　裏機構盤
２　　　貯留タンク
１０Ａ　案内棚
２０　　賞品球排出装置
４０　　入賞球処理装置
９１　　入賞球検出器（第２の入賞球検出手段：セーフセンサ１）
９４　　特定入賞検出器（第１の入賞球検出手段：セーフセンサ２）
１００　遊技盤
１０５　変動入賞装置
１０７，　１０８　特定入賞口
２００　制御装置（枠側制御回路）
２１０　遊技内容制御装置（遊技盤側制御回路）
２００’　ＣＰＵ（入賞記憶手段：セーフメモリ２）